(57)【特許請求の範囲】
【請求項１】
間隔を開けて立設された支柱に格子状の第一のフェンス体が第一の方向に向けて支持され、前記第一のフェンス体の任意の箇所に分岐柱が取付けられると共に該分岐柱を介して第二のフェンス体が前記第一のフェンス体と交差する第二の方向に向けて取付けられたことを特徴とするフェンス。
【請求項２】
前記分岐柱は連結金具を介して前記第一のフェンス体に取付けられ、前記連結金具は、分岐柱の外周を囲むＵ字状の抱持部とその両端より外方に延設された板状の挟持片とを備えた押さえ部材と、前記第一のフェンス体と分岐柱とを挟んで第一のフェンス体の背面側より押さえ部材に取付けられる支え部材とからなることを特徴とする請求項１に記載のフェンス。
【請求項３】
前記連結金具は、支え部材の両端部から受け片が突出され、該受け片の先端が押さえ部材の裏面に当接されるようになされたことを特徴とする請求項１又は２に記載のフェンス。
【発明の詳細な説明】
【技術分野】
【０００１】
本発明は、工場や住宅地等の敷地境界や隣地境界に設置されるフェンスに関するものであり、特に第一のフェンス体から他の方向に分岐された第二のフェンス体が取付けられたフェンスに関するものである。
【背景技術】
【０００２】
一般に、工場の敷地境界や、住宅地やマンション等の隣地境界においては、侵入者の防止や、区画の明確化を目的として、これら境界部に沿ってフェンスが設けられている。そして、フェンスが設けられた敷地内を更に複数に区画する場合は、第一のフェンス体の前面側或いは背面側に、第二のフェンス体の側端部を配置されたものが利用されている。しかしながら、第一のフェンス体の前面側或いは背面側と、第二のフェンス体の側端部との間に隙間が生じるため、第一のフェンス体に風等の外力によりばたつきが生じると、第一のフェンス体が第二のフェンス体に衝突して騒音を生じたり、又、第一のフェンス体と第二のフェンス体との隙間に指や服等が挟まれるおそれがあった。
【０００３】
又、フェンス本体と、このフェンス本体を横方向に連結するジョイントとから構成される連結ユニットから成り、当該各連結ユニットの夫々に、前記フェンス本体の側面に沿って形成された凹溝と係合する突起が形成されていることを特徴とする組立式フェンスが提案されている（例えば、特許文献１参照。）。
【０００４】
この組立式フェンスは、フェンス本体を随意な方向に連結して様々な形状の囲いを構築することができるものである。
【特許文献１】特開平２−１０８７７３号公報
【発明の開示】
【発明が解決しようとする課題】
【０００５】
しかしながら、前記の組立式フェンスには次のような問題点があった。すなわち、フェンス本体を随意な方向に連結することは可能であるが、フェンス本体を分岐させる場合には、その箇所にジョイントが必要であるため、施工誤差や加工誤差等が生じた場合に分岐箇所を位置調整することが容易ではなく、施工性の点で問題があった。
【０００６】
本発明は、前記の如き問題点を解消し、第一のフェンス体の任意の箇所から、第二のフェンス体を分岐可能に取付けられるフェンスを提供せんとするものである。
【課題を解決するための手段】
【０００７】
上記目的を達成するために、本発明は次のような構成としている。
すなわちこの発明に係るフェンスは、間隔を開けて立設された支柱に格子状の第一のフェンス体が第一の方向に向けて支持され、前記第一のフェンス体の任意の箇所に分岐柱が取付けられると共に該分岐柱を介して第二のフェンス体が前記第一のフェンス体と交差する第二の方向に向けて取付けられたことを特徴とするものである。
【発明の効果】
【０００８】
本発明によれば、間隔を開けて立設された支柱に格子状の第一のフェンス体が第一の方向に向けて支持され、前記第一のフェンス体の任意の箇所に分岐柱が取付けられているので、第一のフェンス体に対して風等の外力によりばたつきが生じても、第一のフェンスと分岐柱とが不必要に接触して騒音等が発生するおそれは少なくなり、又、分岐柱と第一のフェンスとの間に、指や服等が挟まれることも起こりにくくなる。そして、分岐柱を介して第二のフェンス体が前記第一のフェンス体と交差する第二の方向に向けて取付けられているので、第一のフェンス体の任意の箇所に分岐柱を取付け、この分岐柱を介して第二のフェンス体を適宜設定する第二の方向に分岐可能にとなるので、第二のフェンス体が分岐される分岐箇所の調整が容易となる。
【０００９】
本発明に係るフェンスにおいて、分岐柱は連結金具を介して前記第一のフェンス体に取付けられ、前記連結金具は、分岐柱の外周を囲むＵ字状の抱持部とその両端より外方に延設された板状の挟持片とを備えた押さえ部材と、前記第一のフェンス体と分岐柱とを挟んで第一のフェンス体の背面側より押さえ部材に取付けられる支え部材とからなるように構成すれば、連結金具により、第一のフェンス体と分岐柱とが挟持され、分岐柱を第一のフェンス体に強固に取付けることができる。
【００１０】
又、本発明に係るフェンスにおいて、連結金具は、支え部材の両端部から受け片が突出され、該受け片の先端が押さえ部材の裏面に当接されるようになされれば、支え部材を押さえ部材に取付ける際、支え部材と押さえ部材との離間寸法は、受け片の突出寸法以下にはならないため、支え部材と押さえ部材とにおいて、離間寸法の偏りが生じにくくなり、連結金具により挟持された第一のフェンスに緩み等が生じにくくなる。
【発明を実施するための最良の形態】
【００１１】
次に、本発明を実施するための最良の形態について図面を参照し、具体的に説明する。
【００１２】
すなわち、図１は本発明に係るフェンスの実施の一形態を示す正面図、図２は本発明に係るフェンスの実施の一形態を示す平面概略図、図３は図１の連結金具の説明図、図４は図１の連結金具の説明図、図５は図１のＡ−Ａ断面における拡大縦断面図、図６は本発明に係るフェンスの取付方法の一形態を示す説明図である。
【００１３】
図面において、１は間隔を開けて配置された支柱１、２は支柱１に支持された第一のフェンス体、３は第一のフェンス体２に取付けられる分岐柱、４は分岐柱３を第一のフェンス体２に取付ける固定金具、５は分岐柱３に取付けられる第二のフェンス体であり、フェンスＦは、支柱１、第一のフェンス体２、分岐柱３、固定金具４、及び第二のフェンス体５とから主に構成されている。
【００１４】
図１は、本発明に係るフェンスＦの実施の一形態を示す正面図である。まず、支柱１は、角パイプ状であり、第一の方向に向けて間隔を開けて配置されている。次に、第一のフェンス体２は、いずれも亜鉛めっきが施された多数本の縦線材２１と横線材２２とを格子状に組合させ、縦線材２１は略等間隔に配置されると共に、その格子の各交点は電気溶接により接合され、更に表面全体を熱可塑性合成樹脂で被覆されたものである。そして、第一のフェンス体２は接続金具２３を介して横方向に連結されると共に、第一のフェンス体２の前面側で支柱１に支持されている。
【００１５】
図２は、本発明に係るフェンスＦの実施の一形態を示す概略平面図である。まず、分岐柱３は、丸パイプ状に形成され、連結金具４を介して、第一のフェンス体２の前面側に取付けられている。
そして、分岐柱３には、接続金具３１が取付けられ、この接続金具３１を介して第二のフェンス体５が取付けられている。
【００１６】
図３は、図１〜２に示された連結金具４の押さえ部材６を示す説明図であり、（ａ）は平面図、（ｂ）は正面図である。押さえ部材６は、横長に形成されると共に、（ａ）に示すように、横断面Ｕ字状に形成され分岐柱３の外周を囲む抱持部６１と、抱持部６１の両端よりそれぞれ外方に延設され且つ略同一平面状に形成された板状の挟持片６２とを備えている。又、（ｂ）に示すように、上下部にはそれぞれ横リブ６３が形成され、更に挟持片６２には、横長孔６４が設けられている。
【００１７】
図４は、図１〜２に示された連結金具４の支え部材７を示す説明図であり、（ａ）は平面図、（ｂ）は正面図である。支え部材７は、横長の板状に形成されると共に、（ａ）に示すように、両端部から同方向に突出された受け片７１を備えている。又、（ｂ）に示すように、上下部にはそれぞれ横リブ７２が形成され、更に、支え部材７の両端部において、受け片７１より内側には取付孔７３がそれぞれ設けられている。
【００１８】
次に、第一のフェンス体２と分岐柱３との取付構造に関して詳しく説明する。図５は、図１のＡ−Ａ断面の主要部を示す縦断面図である。連結金具４において、押さえ部材６の横長孔６４と支え部材７の取付孔７３とを貫通する取付ボルト８と取付ボルト８の端部に螺合された締結用のナット８１によって、押さえ部材６に支え部材７が取付けられている。そして、押さえ部材６の挟持片６２と支え部材７との間に、第一のフェンス体２の縦線材２１が挟持されると共に、分岐柱３は押さえ部材６の抱持部６１の内面に沿って配置されている。
【００１９】
支え部材７の両端部の両受け片７１の突出寸法は、縦線材２１の外径寸法と同程度かやや短くなされている。これにより、取付ボルト８のナット８１を締め付けて、挟持片６２と支え部材７の間に縦線材２１を挟持する際、挟持片６２及び受け片７１により縦線材２１の被覆樹脂が押圧されて、押圧された方向の縦線材２１の外径が受け片７１の突出寸法と同程度となるまで、ナット８１を締め付けることが可能となり、縦線材２１をより強固に挟持することができる。更に、押さえ部材６と支え部材７と間の離間距離において、一部が極端に狭くなる、或いは広くなるような離間距離の偏りは生じ難くなり、したがって、縦線材２１の挟持状態に緩み等の不具合が生じにくくなる。
【００２０】
支え部材７の取付孔７３の間の間隔は特に限定されるものではないが、本形態では、取付孔７３の形成位置は、隣り合う３個の縦線材２１において外側２個の縦線材２１よりも更に外側となされたものである。これにより、支え部材７は、第一のフェンス体２に対して任意の位置に配置しても、２個の取付孔７３の間に、少なくとも２個の縦線材２１が配置されるので、第一のフェンス体２に対して連結部材３を取付けた際、位置ずれや緩み等の不具合は生じ難くなる。
【００２１】
押さえ部材６の横長孔６４において、その大きさや横長孔６４の間は特に限定されるものではなく、押さえ部材６を第一のフェンス体２に取付ける際、少なくとも一方の横長孔６４の裏面側に縦線材２１が配置されても、両横長孔６４に取付ボルト８が貫通される空間が確保されると共に、支え部材７が押さえ部材６に取付け可能となされればよい。これにより、分岐柱３は、連結金具を介して第一のフェンス体２の任意の位置に取付けることができる。
【００２２】
支え部材７の受け片７１の形成位置は、特に限定されるものではないが、支え部材７が取付ボルト８を介して押さえ部材６に取付けられる任意の位置において、両受け片７１が押さえ部材６の裏面にそれぞれ当接可能な位置に形成されることが好ましい。
【００２３】
図6は、本形態に係るフェンスＦの取付方法の一形態を示す説明図である。まず、間隔を開けて支柱１を第一の方向に向けて立設する。続いて、第一のフェンス体２の前面を支柱１に固定し、第一のフェンス体２を支柱１で支持すると共に、第一のフェンス体２に分岐柱３を取付ける。この際、分岐柱３を地面に立設する際は、支柱１を立設した後、分岐柱３を立設し、この後に第一のフェンス体２を取付けてもよく、施工条件や取付条件等によって適宜選択することができる。
【００２４】
次に、分岐柱３を第一のフェンス体２に取付ける方法について詳しく説明する。まず、第一のフェンス体２の前面である分岐柱３が配置された側に押さえ部材６を配置し、第一のフェンス体２の背面側に支え部材７を配置する。続いて、取付ボルト８を押さえ部材６の横長孔６４と支え部材７の取付孔７３を貫通させ、取付ボルト８の先端にナット８１を螺合させて締め付ける。これにより、押さえ部材６と支え部材７との間に第一のフェンス体２と分岐柱３が挟まれ、分岐柱３が第一のフェンス体２に取り付けられる。この際、押さえ金具６の抱持部６１の奥部に分岐柱３が当接され、更に第一のフェンス体２の横線材２２が分岐柱３に当接或いは圧接されるようになされれば、第一のフェンス体２に対して風等の外力によりばたつきが生じても、第一のフェンス体２と分岐柱３とが不必要に接触して騒音等が発生するおそれは少なくなり、又、第一のフェンス体２の横線材２２と分岐柱３とが接触した状態であれば、第一のフェンス体２と分岐柱３との間において、子供のいたずら等により指や服等が挟まれにくくなる。
【００２５】
続いて、分岐柱３に取付けられた取付金具３１に、第二のフェンス体５を第二の方向に向けて取付ける。これにより、第二のフェンス体５と第一のフェンス体２とは分岐柱３を介して連続した一連のフェンスＦとなり、この一連となされたフェンスＦによって、設置される敷地内を間仕切ることができる。
【００２６】
取付金具３１の形態は、例えば、分岐柱３に溶接或いは固定ビス等により固定されて水平方向に突設される取付片を備え、更にこの取付片の先端部に開口部を備えた横断面Ｖ字状を形成し、この開口部の内側に第二のフェンス体５の縦線材５１を配置し、Ｖ字状部を内側に向けて閉じて縦線材５１を挟持するようなものでもよい。或いは、分岐柱３の外周を囲むＵ字型の金具を分岐柱３に取付けると共に、Ｕ字型の金具の両先端部の間で第二のフェンス体５の縦線材５１を挟持するようなものでもよく、これらの取付金具３１を組み合わせて用いてもよく、特に限定されるものではない。
【００２７】
支柱１は、第一のフェンス体２を支持することを考慮すると金属製のものを用いるのが好ましく、一般にはアルミニウム、ステンレス、鉄鋼等のパイプ、形材からなる長尺体を適宜長さに切断したものや、それらにめっき、塗装を施したもの等を好適に用いることができる。支柱１に第一のフェンス２を取付ける際は、第一のフェンス体１の背面側或いは前面側に支柱１を取付けるようにすると、支柱１と分岐柱３との位置が近接する場合に、支柱１の立設位置を適宜調整可能となるため、好ましいが、この形態に限られるものではなく、例えば、支柱１を第一のフェンス体２の前面側に立設させた場合、分岐柱３を第一のフェンス体２の背面側に立設させるような、第一のフェンス体２を挟んで支柱１と分岐柱３とを配置するような形態でもよく、或いは支柱１の間に第一のフェンス２が配置されるようにしてもよい。
【００２８】
分岐柱３についても同様に金属材料を用いるのが好ましく、パイプ、板状体、形材、各種アングル材を用いることができるが、分岐柱３に固定された取付金具３１の突設方向を第二のフェンス体５が取付けられる第二の方向に位置調整する場合は、本形態のように、円柱状あるいは丸パイプ状のものであれば、分岐柱３の立設時に、取付金具３１の突設方向を調整することが可能である。更に、取付金具３１として横断面Ｕ字型のものを用いれば、この取付金具３１を分岐柱３の外周面に沿って回動可能に配置することは比較的容易であり、分岐柱３を設置した後でも、取付金具３１の位置調整が可能となるため、より好ましい。又、固定金具４についても、同様に金属材料を用いるのが好ましい。
【００２９】
第一のフェンス体２は、固定金具４を任意の位置に取付け可能であり、更に分岐柱３を固定することができる強度があれば、特に限定されるものではないが、被覆樹脂としてポリエチレン等のオレフィン系樹脂、或いはエチレン−アクリル酸共重合体、エチレン−酢酸ビニル共重合体等、室温でもある程度の可撓性がある樹脂を用いれば、固定金具４により挟持された際に、挟持する力に応じて被覆樹脂がある程度変形するため、より強固に挟持されることが可能となり、より好ましい。又、本形態の様に、上下部を折り曲げて胴縁２４を設けてもよい。胴縁２４の形状は、縦断面が、半円形、円形でもよく、三角形状、四角形状等の多角形状でものでもよいが、本形態のように、分岐柱３が取付けられる前面側には突出せず、背面側のみに突出した形状であれば、分岐柱２３を第一のフェンス体２の前面側に取付ける際、胴縁２４と分岐柱３とか不必要な干渉を起こさず、より好ましい。
【００３０】
第二のフェンス体５も、第一のフェンス体２と同様な形態であることが好ましい。尚、胴縁の形状は、縦断面が、半円形、円形でもよく、三角形状、四角形状等の多角形状でものでもよい。
【産業上の利用可能性】
【００３１】
本発明に係るフェンスは、第一のフェンス体の任意の箇所から、第二のフェンス体を分岐可能に取付けられるので、フェンスによって囲まれた敷地内を区画するためにフェンスを分岐する場合のみではなく、例えば、フェンスと住宅や工場等の建物とに生じた比較的狭い空間を遮り、通行・通過を不可能にする場合にも、好適に用いることができる。
【図面の簡単な説明】
【００３２】
【図１】本発明に係るフェンスの実施の一形態を示す正面図である。
【図２】本発明に係るフェンスの実施の一形態を示す平面概略図である。
【図３】図１の連結金具の説明図である。
【図４】図１の連結金具の説明図である。
【図５】図１のＡ−Ａ断面における拡大縦断面図である。
【図６】本発明に係るフェンスの取付方法の一形態を示す説明図である。
【符号の説明】
【００３３】
１    支柱
２    第一のフェンス体
２１  縦線材
２２  横線材
３    分岐柱
４    固定金具
５    第二のフェンス体
５１  縦線材
６    押さえ部材
６１  抱持部
６２  挟持片
６４  横長孔
７    支え部材
７１  受け片
７２  取付孔
８    取付ボルト
８１  ナット
Ｆ    フェンス
【図１】
0005004126.tif 000002
【図２】
0005004126.tif 000003
【図３】
0005004126.tif 000004
【図４】
0005004126.tif 000005
【図５】
0005004126.tif 000006
【図６】
0005004126.tif 000007